(57)【要約】【課題】コネクタ嵌合方向とは直交する方向から嵌合させる合体式コネクタにおいて、アウタハウジングへのインナハウジングの不完全嵌合を簡単且つ確実に検知させる。【解決手段】コネクタ嵌合方向とは直交する方向に開口した収容室９を有するアウタハウジング２と、収容室に嵌合するインナハウジング３とを備え、収容室の前端壁３０に接するインナハウジングの前端に傾斜面２８を形成し、インナハウジングの後端側にアウタハウジングとの係止手段２２，２３，２６を設け、インナハウジングの完全嵌合時に、前端壁と傾斜面との間にくさび状の隙間３３を存して開口側で傾斜面を前端壁に接し、インナハウジングの不完全嵌合時に、係止手段を支点にインナハウジングの隙間をなくす方向に回動して傾斜面を前端壁から嵌合方向反対に突出させる合体式コネクタ１を採用する。【選択図】図３
2009064697.tif 000002
【特許請求の範囲】
【請求項１】
コネクタ嵌合方向とは直交する方向に開口した収容室を有するアウタハウジングと、該収容室に嵌合するインナハウジングとを備え、該収容室の前端壁に接する該インナハウジングの前端に傾斜面が形成され、該インナハウジングの後端側に該アウタハウジングとの係止手段が設けられ、該インナハウジングの完全嵌合時に、該前端壁と該傾斜面との間にくさび状の隙間を存して該開口側で該傾斜面が該前端壁に接し、該インナハウジングの不完全嵌合時に、該係止手段を支点に該インナハウジングが該隙間をなくす方向に回動して該傾斜面が該前端壁から嵌合方向反対に突出することを特徴とする合体式コネクタ。
【請求項２】
前記収容室内に端子挿通部が突設され、前記インナハウジングに該端子挿通部を収容する凹部が形成され、該凹部の後端に第二の傾斜面が形成され、該インナハウジングの完全嵌合時に、該端子挿通部と該第二の傾斜面との間にくさび状の隙間が形成されることを特徴とする請求項１記載の合体式コネクタ。
【請求項３】
前記インナハウジングの両側壁に、前記係止手段の一部である突起が設けられ、該インナハウジングの完全嵌合時に、該突起を支点に該インナハウジングが回動することを特徴とする請求項１又は２記載の合体式コネクタ。
【発明の詳細な説明】
【技術分野】
【０００１】
本発明は、インナハウジングを端子の挿入方向とは直交する方向からアウタハウジングに嵌合させた際の嵌合不良を検知し得る合体式コネクタに関するものである。
【背景技術】
【０００２】
図６は、従来の合体式コネクタの一形態を示すものである（特許文献１参照）。
【０００３】
この合体式コネクタ５１は、合成樹脂製のアウタハウジング５２とインナハウジング５３と、両ハウジング５２，５３の端子収容溝内に収容される雄型の端子（図示せず）とで構成されるものである。
【０００４】
アウタハウジング５２は、前半に相手コネクタ（図示せず）に対する嵌合室５４を有し、後半にインナハウジング５３に対する嵌合空間５５を有している。嵌合空間５５に後方から水平にインナハウジング５３が挿入されて係止手段（突起５６と孔部５７）で係止される。
【０００５】
インナハウジング５３は開閉自在なカバー５８を有しており、両ハウジング５２，５３の完全挿入状態でカバー５８を閉めることで、カバー５８の係止枠５９がアウタハウジング５２の突起６０に係合しつつ、係止枠５９の支持リブ（図示せず）がインナハウジング５３の凹部６１に係合して、両ハウジング５２，５３の完全嵌合が検知される。
【０００６】
図７は、従来の合体式コネクタの他の形態を示すものである（特許文献２参照）。
【０００７】
この合体式コネクタ６２は、合成樹脂製の上側ハウジング６３と下側ハウジング６４と、両ハウジング６３，６４内に収容される雌型の端子（図示せず）とで構成されるものである。
【０００８】
両ハウジング６３，６４は上下方向に合体されて係止手段で相互に係止される。両ハウジング６３，６４はそれぞれ相手端子挿入孔６５に続く端子収容溝（図示せず）を有しており、下側ハウジング６４の端子収容溝は合成樹脂製の下カバー（図示せず）で閉止される。両ハウジング６３，６４は、係止手段として前側のあり状突起６６とあり溝６７と、後側の突起と係止枠６８とを有している。符号６９は、端子に接続された電線である。
【０００９】
図８は、従来の合体式コネクタの嵌合不完全を導通検査具で導通検査する際に検知させる方法の一形態を示すものである（特許文献３参照）。
【００１０】
この合体式コネクタ７０は、コネクタハウジング７１と、コネクタハウジング内に収容される電線付きの雌型の端子（図示せず）と、端子係止用のフロントホルダ７２とで構成されている。
【００１１】
導通検査具７３は、フレーム７４に固定されたコネクタ保持部７５と、フレーム７４にスライド自在に配置された導通検査部７６と、導通検査部７６を移動させるリンク７７と操作レバー７８とを備えたもので、コネクタ保持部７５の上端にフロントホルダ不完全嵌合検知用のガイドプレート７９を有している。導通検査部７６内にはコネクタ７０内の各端子に対する導通検査用のプローブピン（図示せず）が配置されている。
【００１２】
コネクタハウジング７１にフロントホルダ７２が不完全嵌合である場合（フロントホルダ７２が規定よりも外側に突出している場合）に、フロントホルダ７２がガイドプレート７９の上面に当接して、コネクタ保持部７５内へのコネクタ７０の挿入を行うことができず、それにより、フロントホルダ７２の不完全嵌合が検知される。
【００１３】
フロントホルダ７２が不完全嵌合である場合には、相手コネクタの雄型の端子（図示せず）がコネクタ７０内の雌型の端子の先端に突き当たって、スムーズな端子接続を行うことができないという不具合を生じる。このような不具合は、図６〜図７の合体式コネクタ５１，６２においても同様に生じ得るものである。
【特許文献１】特開平１１−８６９５１号公報（図１〜図２）
【特許文献２】特開平１１−４０２４２号公報（図１，図５）
【特許文献３】特開平１１−３４４５２３号公報（図１）
【発明の開示】
【発明が解決しようとする課題】
【００１４】
上記従来の図６の合体式コネクタ５１にあっては、アウタハウジング５２内にインナハウジング５３を後方から水平に挿入するものであるために、アウタハウジング５２の上下の壁部とインナハウジング５３の上下の壁部とを必要として、コネクタ５１が上下方向に肥大化しやすいという問題があった。また、上記従来の図７の合体式コネクタ６２にあっては、下側ハウジング６４の下側の端子収容溝を塞ぐカバーを必要として、部品点数が増し、コスト高になるという懸念があった。また、上記従来の図８の合体式コネクタ７０の嵌合不完全検知方法にあっては、フロントホルダ７２の突出量が少ない場合に、各部材の累積寸法誤差によって嵌合不完全を検知することができないという懸念があった。
【００１５】
本発明は、上記した点に鑑み、インナハウジングをアウタハウジングに下方から、すなわちコネクタ嵌合接続方向とは直交する方向から嵌合させる合体式コネクタにおいて、アウタハウジングへのインナハウジングの不完全嵌合（不完全係止）を確実に且つ簡単に検知することのできる合体式コネクタを提供することを目的とする。
【課題を解決するための手段】
【００１６】
上記目的を達成するために、本発明の請求項１に係る合体式コネクタは、コネクタ嵌合方向とは直交する方向に開口した収容室を有するアウタハウジングと、該収容室に嵌合するインナハウジングとを備え、該収容室の前端壁に接する該インナハウジングの前端に傾斜面が形成され、該インナハウジングの後端側に該アウタハウジングとの係止手段が設けられ、該インナハウジングの完全嵌合時に、該前端壁と該傾斜面との間にくさび状の隙間を存して該開口側で該傾斜面が該前端壁に接し、該インナハウジングの不完全嵌合時に、該係止手段を支点に該インナハウジングが該隙間をなくす方向に回動して該傾斜面が該前端壁から嵌合方向反対に突出することを特徴とする。
【００１７】
上記構成により、インナハウジングの不完全嵌合時に前端の傾斜面がアウタハウジングから外部に大きく突出することで、例えば作業者が目視ないし手感で不完全嵌合を簡単に且つ確実に検知することができる。突出量が大きいから、従来の導通検査具を用いた嵌合チェック方法でも確実に不完全嵌合を検知することができる。コネクタ嵌合方向（相手コネクタとの嵌合方向）はハウジング内への端子挿入方向と一致する。インナハウジングの不完全嵌合時に係止手段は部分的に不完全係止となる。係止手段がインナハウジングの後端側に配置されているから、嵌合不完全時にインナハウジングの前端側が大きく回動してアウタハウジングの外部に大きく突出する。回動時に傾斜面は例えば面接触で前端壁に当接する。
【００１８】
請求項２に係る合体式コネクタは、請求項１記載の合体式コネクタにおいて、前記収容室内に端子挿通部が突設され、前記インナハウジングに該端子挿通部を収容する凹部が形成され、該凹部の後端に第二の傾斜面が形成され、該インナハウジングの完全嵌合時に、該端子挿通部と該第二の傾斜面との間にくさび状の隙間が形成されることを特徴とする。
【００１９】
上記構成により、インナハウジングの不完全嵌合時に、第二の傾斜面と端子挿通部との間の隙間の範囲でインナハウジングが突出方向にスムーズに回動する。
【００２０】
請求項３に係る合体式コネクタは、請求項１又は２記載の合体式コネクタにおいて、前記インナハウジングの両側壁に、前記係止手段の一部である突起が設けられ、該インナハウジングの完全嵌合時に、該突起を支点に該インナハウジングが回動することを特徴とする。
【００２１】
上記構成により、インナハウジングの両側の一対の突起が回動支点として作用し、インナハウジングの不完全嵌合時の回動がスムーズに行われる。
【発明の効果】
【００２２】
請求項１記載の発明によれば、インナハウジングの不完全嵌合時に前端の傾斜面がアウタハウジングから外部に大きく突出することで、例えば作業者が目視ないし手感で不完全嵌合を簡単に且つ確実に検知することができると共に、突出量が大きいから、従来の導通検査具を用いた嵌合チェック方法でも確実に不完全嵌合を検知することができ、これらにより、アウタハウジングへのインナハウジングの嵌合不良が確実に防止され、インナハウジング内に収容された端子に相手コネクタ側の端子が衝接する心配がなくなり、コネクタの電気的接続の信頼性が高まる。
【００２３】
請求項２記載の発明によれば、端子挿通部を有するアウタハウジングに対応してインナハウジングの不完全嵌合時における回動がスムーズに行われて、不完全嵌合検知が確実に行われる。
【００２４】
請求項３記載の発明によれば、両側の突起がインナハウジングの不完全嵌合時の回動をスムーズに行わせることで、アウタハウジングからのインナハウジングの前端側の突出動作が確実に行われ、不完全嵌合の検知精度が高まる。
【発明を実施するための最良の形態】
【００２５】
図１〜図４は、本発明に係る合体式コネクタの一実施形態を示すものである。
【００２６】
図１の如く、この合体式コネクタ１は、合成樹脂製のアウタハウジング２と、アウタハウジング２の下部開口（開口）４から上向きに挿入嵌合される合成樹脂製のインナハウジング３と、両ハウジング２，３の嵌合後（仮嵌合時）にインナハウジング３内に収容される雌型の端子５（図５参照）とで構成されるものである。
【００２７】
アウタハウジング２は、下部開口４に連通する後部開口６を有し、後部開口６の下側には鍔状の保護ブリッジ（垂直な壁部）７が一体に突出形成され、保護ブリッジ７はアウタハウジング２の左右の両側壁８の外面側を相互に連結し、後部開口６と下部開口４とに連通してアウタハウジング２の内側にインナハウジング３を収容する空間（収容室）９が形成され、収容室９内において、両側壁８を連結する水平な壁部１０から、少なくとも上段の端子収容室の一部を成す矩形状ないし縦断面コの字状の隔壁（端子挿通部）１１が垂下形成されている。
【００２８】
水平な壁部１０の上側には収容室９の左右の水平な上壁１２が対称に位置すると共に、両上壁１２の間で相手コネクタ（図示せず）に対するロックアーム１３が設けられ、ロックアーム１３は左右両側の上部側壁１４で囲まれて保護され、上部側壁１４は上壁１２と後方の垂直な鍔状の壁部１５とに直交して続き、垂直な壁部１５の下側に後部開口９が位置している。なお、明細書中で上下前後左右の方向性は説明の便宜上のものであり、コネクタ１の取付方向と必ずしも一致するとは限らない。
【００２９】
インナハウジング３は、上下二段の端子収容室１６を有し、少なくとも上段の端子収容室１６は、前後方向中央において上部と両側部とを開口された凹部１７に連通し（上部開口を符号１７ａ、側部開口を符号１７ｂで示す）、上部開口１７ａからアウタハウジング２の端子挿通部（凸部）１１が凹部１７内に垂直に挿入されて、上段の端子収容室１６の一部を構成する。各端子収容室１６は上下左右の壁部（隔壁）１８で区画されている。各端子収容室１６内には可撓性の端子係止ランス１９（図５参照）が設けられている。
【００３０】
インナハウジング３の後端下部には、アウタハウジング２の保護ブリッジ７の前面に接する鍔状の可撓性の垂直な壁部２０が一体に設けられ、壁部２０の後面上部に水平な係止突条２１が設けられ、保護ブリッジ７の前面には、係止突条２１の下側に係合する水平な係合突条２２（図３）が設けられ、係合突条２２は上側の水平な係合面と下側の傾斜状のガイド面とを有している。係止突条２１と係合突条２２とで第三の係止手段を構成する。
【００３１】
第一の係止手段としては、インナハウジング３の後部上壁２２すなわち上部開口１７ａよりも後方の上壁２２の上面に、前後方向に延びる左右一対のあり状（縦断面逆台形状）の係止突条２３が設けられ、アウタハウジング２の収容室９の上壁１２の内面（下面）側に、係止突条２３を上下方向に係合させる前後方向のあり溝状の係合溝２４が設けられている。
【００３２】
また、第二の係止手段（セミロック手段）として、インナハウジング３の垂直な左右の両側壁２５の後端側で且つ下半側に、第一の係止突条２３よりも半分以下の短い水平な一対の係止突起２６が設けられ、アウタハウジング２の収容室９内の端子挿通部１１よりも後方における左右の側壁８ａの下半側に、上下各一対の係合溝２７が近接して設けられている。係合溝２７は係止突起２６よりも前後に長く形成されている。係止突起２６が下側の係合溝２７に係合した状態でインナハウジング３がアウタハウジング２に仮係止され、係止突起２６が上側の係合溝２７に係合した状態でインナハウジング３がアウタハウジング２に本係止される。
【００３３】
これら第一〜第三の係止手段は全てインナハウジング３の後部とアウタハウジング２の後部に設けられている。そして、第一の係止手段２３，２４が本係止不完全である場合は、インナハウジング３の前端部が第二の係止手段の係止突起２６を支点に下向きに回動しつつアウタハウジング２から下向きに突出するようになっている。
【００３４】
このインナハウジング３の下向きの回動を生じさせる構成として、インナハウジング３の前端面２８と中間の凹部１７の後端面２９とが傾斜面となっている。両傾斜面２８，２９は下から上にかけて漸次後方に向けてテーパ状に同程度の角度で傾斜している。前端の傾斜面２８はアウタハウジング２の前端壁３０（図２〜図３）の垂直な内面３０ａに当接し、中間の傾斜面（第二の傾斜面）２９はアウタハウジング２の端子挿通部１１の垂直な後端面３１に当接可能である。
【００３５】
図２（ａ）（後方視背面図）の如く、アウタハウジング２の収容室９にインナハウジング３が収容された状態で、収容室９の後部開口６内にインナハウジング３の各端子収容室１６の後部開口が露出し、図２（ｂ）（前方視正面図）の如く、インナハウジング３の前端面２８（図１）はアウタハウジング２の垂直な前端壁３０で覆われて前端壁３０の内側（後方）に位置し、前端壁３０に設けられた各相手端子挿入孔３２にインナハウジング３の各端子収容室１６の前部開口が整合して位置する。
【００３６】
図３（図２（ａ）のＡ−Ａ断面図）の如く、インナハウジング３をアウタハウジング２内に本係止させた状態、すなわち、上側の係止突条２３（図１）を係合溝２４に係合させ、側方の係止突起２６（図１）を上側の本係止溝２７に係合させ、下側の係止突条２１を保護ブリッジ７の係合突条２２に係合させた状態で、インナハウジング３の上壁２２の上面がアウタハウジング２の収容室９の上壁１２の下面に面接触で隙間なく当接し、インナハウジング３の前端の傾斜面２８の下端部２８ａがアウタハウジング２の前端壁３０の垂直な後面３０ａの下端部に当接し、傾斜面２８は下から上に向かうにつれて漸次後方に傾斜して前端壁３０との間にくさび状の隙間３３を存して位置し、インナハウジング３の収容凹部１７の後端の傾斜面２９がアウタハウジング２の端子挿通部（凸部）１１の垂直な後端面３１に対して下から上に向かうにつれて漸次テーパ状に後方に傾斜してくさび状の隙間３４を存して位置し、インナハウジング３の底壁３５の下面は上壁２２の上面と平行でアウタハウジング２の前端壁３０の下端３０ｂと同一面に水平に位置する。各隙間３３，３４はインナハウジング３の回動スペースとして作用する。
【００３７】
図４の如く、インナハウジング３がアウタハウジング２に不完全嵌合（本係止不完全）である場合、すなわち、下側の係止突条２１が保護ブリッジ７の係合突条２２に係合し、少なくとも上側の係止突条２３が係合溝２４（図１）に不完全係合である場合には、後端側部の係止突起２６（図１）を支点としてインナハウジング３の前端部が下向きに回動し、インナハウジング３の前端下部３６がアウタハウジング２の前端壁３０の下端３０ｂよりも大きく下向きに突出する（浮く）。突出量（浮き量）を符号Ｈで示す。インナハウジング３の前端の傾斜面２８はアウタハウジング２の前端壁３０の後面３０ａに面接触で隙間なく当接して垂直に位置し、凹部１７の前端面３７は前方に傾斜し、凹部１７の後端の傾斜面２９は垂直に位置してアウタハウジング２の凸部１１の後端面３１と平行に且つ若干の隙間を存して位置する。
【００３８】
このインナハウジング３の前端下部３６の大きな突出量Ｈによって、作業者が目視や手感（触感）でインナハウジング３の嵌合不良を簡単且つ確実に検知することができる。勿論、従来（図８）のように導通検査具にコネクタ１をセットする際に、突出したインナハウジング３の前端下部３６を導通検査具のガイドプレート等に当接させることで、嵌合不良を検知させることも可能である。突出量Ｈが大きいから、導通検査具による検知も累積寸法誤差に影響されずに確実に行うことができる。
【００３９】
図５は、図２（ｂ）のＢ−Ｂ断面図の一形態を含む合体式コネクタ１を示すものである。図１〜図４と同じ構成部分には同じ符号を付して詳細な説明を省略する。
【００４０】
図５に示す合体式コネクタ１は、アウタハウジング２の端子挿通部（凸部）１１に、インナハウジング３内に挿入される雌型の端子５に対する二重係止部３８を設け、二重係止部３８を不完全挿入の端子５の箱状の電気接触部３９の上壁３９ａに当接させることで、端子５の不完全挿入時にインナハウジング３の前端下部３６を少なくとも第三の係止手段である後方の係止突条２１を支点として下向きに回動させて収容室９から下向きに大きく（図４の状態よりも大きく）突出させるようにしたものである。突出量を符号Ｈで示す。図５において、インナハウジング３の前端の傾斜面２８はアウタハウジング２の前端壁３０に面接触した後、さらに下方に回動して図３のくさび状の隙間（空間）３３とは上下逆向きの隙間を存している。
【００４１】
アウタハウジング２へのインナハウジング３の嵌合不完全の要因として、上記図４の本係止不完全と図５の端子挿入不完全とが挙げられる。図５においても、第一の係止手段である上側の係止突条２３と係合溝２４（図１）との係合は不完全であり、インナハウジング３は第三の係止手段２１，２２と共に、両側部の第二の係止手段である短い係止突起２１を支点に前下がりに回動しやすくなっている（係止突起２１はインナハウジング３の回動を助長する）。全体的にはインナハウジング３はアウタハウジング２に対して全ての係止手段２２，２３，２６を支点として回動することになる。
【００４２】
図１にも示す如く、二重係止部（二重係止壁）３８は、端子挿通部１１を成す縦断面略コの字状の壁部の上壁（符号３８で代用）の下面と下壁（符号３８で代用）の下面とを前から後に向かうにつれて前記高くなる傾斜面３８ａとして構成され、端子５の完全挿入時（図３の状態）に、上壁３８の前端面３８ｂを上段の端子５の電気接触部３９の後端面３９ｂに当接させ、下壁３８の前端面３８ｂを下段の端子５の電気接触部３９の後端面３９ｂに当接させるもので、図５の端子５の不完全挿入時には、上壁３８の傾斜面３８ａが上段の端子５の電気接触部３９の上面３９ａに当接し、下壁３８の傾斜面３８ａが下段の端子５の電気接触部３９の上面３９ａに当接することで、端子５と一体にインナハウジング３の前端下部３６が下向きに回動しつつアウタハウジング２から大きく突出する。
【００４３】
この大きな突出量Ｈによって、作業者が目視や手感（触感）でインナハウジング３の嵌合不良を簡単且つ確実に検知することができる。勿論、従来（図８）のように導通検査具にコネクタ１をセットする際に、突出したインナハウジング３の前端部３６を導通検査具のガイドプレート等に当接させることで、嵌合不良を検知させることも可能である。突出量Ｈが大きいから、導通検査具による検知も累積寸法誤差の影響なく確実に行うことができる。
【００４４】
インナハウジング３には各端子収容室１６内において可撓性の端子係止ランス１９が傾斜状に設けられており、完全挿入された端子５は係止ランス１９で一次係止され、二重係止部３８で二次係止される。端子５の挿入及び一次係止はインナハウジング３の仮係止状態すなわち係止突起２６（図１）が下側の係合溝２７に係合した状態で行われ、二次係止はインナハウジング３を収容室９内に上向きに押し込んで本係止させると同時に行われる。端子５には予め電線４０が圧着ないし圧接接続されている。
【００４５】
なお、上記実施形態においては、インナハウジング３の前端面２８と中間の端面２９とを傾斜面としたが、中間の端面２９と凸部１１の後端面３１との間の隙間３４を大きく設定した場合には、中間の端面２９を傾斜面とする必要はない。また、前端面２８と中間の端面２９を傾斜面とすることに代えて、アウタハウジング２の前端壁３０の後面３０ａと凸部１１の後端面３１とを前記インナハウジング３の傾斜面２８，２９とは逆向きの傾斜面とすることも可能である。但し、この場合はインナハウジング３の傾斜面が逆テーパとなるので、樹脂成形時の型抜きに工夫を要する。
【００４６】
また、上記実施形態においては、雌型の端子５を用いたが、雄型の端子（図示せず）を用いる場合は、インナハウジング（３）の前半部に相手コネクタ（図示せず）に対する嵌合室（図示せず）を形成し、嵌合室内に雄型の端子のピン状ないしタブ状の電気接触部を突出させ、嵌合室の枠状ないし凹字状の前端壁に傾斜面（２８）を形成し、アウタハウジング（２）の前端壁（３０）はインナハウジング（３）の前端壁に合わせて相手コネクタ挿入口として枠状に開口させ、インナハウジング（３）の中間凹部（１７）の後端面（２９）には図４と同様の傾斜面を形成し、アウタハウジング（２）の端子挿通部（１１）内に雄型の端子の長手方向中間の胴部を収容し、胴部に設けた突部を端子挿通部（１１）の二重係止部（３８）で係止させることが可能である。一次係止用の係止ランス（１９）は図５の位置よりも後方に二重係止部（３８）と同程度の位置に配置される。
【図面の簡単な説明】
【００４７】
【図１】本発明に係る合体式コネクタの一実施形態を示す分解斜視図である。
【図２】同じく合体式コネクタを示す、（ａ）は背面図、（ｂ）は正面図である。
【図３】インナハウジングの完全嵌合状態を示す、図２（ａ）のＡ−Ａ断面図である。
【図４】インナハウジングの不完全嵌合状態を示す、図２（ａ）のＡ−Ａ相当断面図である。
【図５】端子の不完全挿入状態を示す、図２（ｂ）のＢ−Ｂ相当断面図である。
【図６】従来の合体式コネクタの一形態を示す側面図である。
【図７】従来の合体式コネクタの他の形態を示す斜視図である。
【図８】従来の合体式コネクタのその他の形態を導通検査具で嵌合チェックする状態を示す分解斜視図である。
【符号の説明】
【００４８】
１          合体式コネクタ
２          アウタハウジング
３          インナハウジング
４          開口（下部開口）
９          収容室
１１        端子挿通部
１７        凹部
２１，２３  係止突条（係止手段）
２５        側壁
２６        係止突起（係止手段）
２８        傾斜面
２９        第二の傾斜面
３０        前端壁
３３，３４  隙間
【図１】
2009064697.tif 000003
【図２】
2009064697.tif 000004
【図３】
2009064697.tif 000005
【図４】
2009064697.tif 000006
【図５】
2009064697.tif 000007
【図６】
2009064697.tif 000008
【図７】
2009064697.tif 000009
【図８】
2009064697.tif 000010